(57)【要約】【課題】  起動時に画像形成装置が有する複数のユニットすべてに電力を供給している為、その分必要のない電力を消費している。【解決手段】  制御対象である複数のユニットと、複数のユニットを制御する制御部と、ユニットに関する起動条件を記憶する起動条件記憶部とを有し、制御部は、画像形成装置の起動時に、起動条件記憶部から読み出した起動条件に基づき複数のユニットそれぞれに対する起動時の通電制御を行う画像形成装置において、制御部は、画像形成装置の起動後の、複数のユニットの使用情報を取得し、使用情報に基づき、起動後に使用されなかったユニットには次回起動時に通電を行わないように起動条件の決定を行う画像形成装置である。【選択図】図３
2019134317.tif 000002
【特許請求の範囲】
【請求項１】
制御対象である複数のユニットと、
前記複数のユニットを制御する制御部と、
前記ユニットに関する起動条件を記憶する起動条件記憶部とを有し、
前記制御部は、前記画像形成装置の起動時に、前記起動条件記憶部から読み出した前記起動条件に基づき前記複数のユニットそれぞれに対する起動時の通電制御を行う画像形成装置において、
前記制御部は、
前記画像形成装置の起動後の、前記複数のユニットの使用情報を取得し、前記使用情報に基づき、起動後に使用されなかった前記ユニットには次回起動時に通電を行わないように前記起動条件の決定を行う画像形成装置。
【請求項２】
前記画像形成装置がシャットダウン要求を受け付けた後に、前記起動条件決定を行う請求項１の画像形成装置。
【請求項３】
前記画像形成装置は、バッテリを有し、電源として外部電源と前記バッテリを選択して電力供給を受けることが可能であって、
前記制御部は、前記画像形成装置が前記外部電源から電力供給を受けている際に前記画像形成装置が受け付けた前記シャットダウン要求が、ユーザからの要求であるかを判断し、
ユーザからの要求でない場合は、前記バッテリから電力供給を受けるように切り替える請求項２の画像形成装置。
【請求項４】
前記制御部は、前記複数のユニットのうち、前記画像形成装置の起動後の使用回数が多いユニットを優先して通電する請求項１ないし３いずれかの画像形成装置。
【請求項５】
前記各ユニットは、自ユニットの起動時通電が完了したこと通知する通電完了通知を制御部に通知し、
前記制御部は前記通知を受けた後に他のユニットへの起動を開始する請求項１ないし４いずれかの画像形成装置。
【請求項６】
互いに異なる、起動時に通電を行うユニットと行わないユニットのパターンを記憶した複数のパターン記憶部を有し、前記起動条件として、前記複数のパターン記憶部のうち、次回起動時に読み出す前記パターン記憶部を決定する請求項１ないし５いずれかの画像形成装置。
【請求項７】
制御対象である複数のユニットと、
前記複数のユニットを制御する制御部とを有する画像形成装置であって、
前記制御部は、前記画像形成装置の起動時に、前記複数のユニットそれぞれに対する起動時の通電制御を行う画像形成装置において、
前記制御部は、
前記画像形成装置の起動後の、前記複数のユニットそれぞれの使用情報を取得し、前記使用情報に基づき、起動後に使用されなかったユニットには次回起動時に通電を行わない画像形成装置。
【請求項８】
画像形成装置の起動時に、起動条件記憶部から読み出した起動条件に基づき、画像形成装置が有する複数のユニットそれぞれに対する起動時の通電制御を行う画像形成方法において、
前記画像形成装置の起動後の、前記複数のユニットそれぞれの使用情報を取得する使用情報取得工程と、
前記使用情報に基づき、使用されなかったユニットには次回起動時に通電を行わないように前記起動条件を決定する起動条件決定工程を有する画像形成方法。
【発明の詳細な説明】
【技術分野】
【０００１】
本発明は、画像形成装置および画像形成方法に関する。
【背景技術】
【０００２】
従来、コピー機能、ＦＡＸ機能、プリント機能、スキャナ機能等を複合して有する、いわゆるＭＦＰ（Ｍｕｌｔｉ  Ｆｕｎｃｔｉｏｎ  Ｐｅｒｉｐｈｅｒａｌ）と称される複合機においては、各機能を実行する互いに異なるユニットを有している。これらのユニット全てを動作可能な状態に保ち続けると、ユニットを使用していない時等に無駄な電力を消費してしまう。そこで消費電力を抑制するため、各ユニットへの通電を制御する技術が知られている。
【０００３】
例えば特許文献１に記載の装置では、起動時に複数の処理ユニットへの電力供給タイミングを、各処理ユニットがレディ状態となるまでの時間等に応じて制御することにより、起動からレディ状態となるまでの無駄な消費電力を低減している。
【０００４】
また特許文献２に記載の装置では、再起動が指示されると、シャットダウン処理の開始前に、電力制御状態を記憶する。そして再起動を開始した後に、記憶されている電力制御状態を読み出して、読み出した電力制御状態が節電状態である場合は節電状態に移行することにより、効率的な省電力制御を行っている。
【発明の概要】
【発明が解決しようとする課題】
【０００５】
しかし、特許文献１および特許文献２に記載の装置では起動時にすべてのユニットに電力を供給している為、その分必要のない電力を消費している。
【課題を解決するための手段】
【０００６】
上記課題を解決するために、請求項１にかかる発明は、制御対象である複数のユニットと、
前記複数のユニットを制御する制御部と、前記ユニットに関する起動条件を記憶する起動条件記憶部とを有し、前記制御部は、前記画像形成装置の起動時に、前記起動条件記憶部から読み出した前記起動条件に基づき前記複数のユニットそれぞれに対する起動時の通電制御を行う画像形成装置において、前記制御部は、前記画像形成装置の起動後の、前記複数のユニットの使用情報を取得し、前記使用情報に基づき、起動後に使用されなかった前記ユニットには次回起動時に通電を行わないように前記起動条件の決定を行う画像形成装置である。
【発明の効果】
【０００７】
本発明によれば、異なる複数ユニットを有する装置において、起動時に必要のない電力を消費することを防ぐことが出来る。
【図面の簡単な説明】
【０００８】
【図１】第１の実施形態のハードウェア構成図である。
【図２】第１の実施形態の機能ブロックである。
【図３】第１の実施形態のフロー図である。
【図４】第２の実施形態のフロー図である。
【図５】第３の実施形態のハードウェア構成図である。
【図６】第３の実施形態のフロー図である。
【図７】第４の実施形態のフロー図である。
【図８】第５の実施形態のフロー図である。
【図９】第６の実施形態のハードウェア構成図である。
【図１０】第６の実施形態の機能ブロックである。
【発明を実施するための形態】
【０００９】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【００１０】
まず、本発明の第１の実施形態に係る画像形成装置について説明する。図1において画像形成装置１００は、コントローラ部１１０、電源制御部１１４、ＦＡＸ部１２０、スキャナ部１３０、プロッタ部１４０、操作表示部１５０、電力供給部１６０、主電源スイッチ２００、ユニット電源スイッチ２０１〜２０４を有する。そして、画像形成装置１００は、外部電源、一例として商用電源３００からの電力供給を受けて動作可能である。
【００１１】
このうちＦＡＸ部１２０、スキャナ部１３０、プロッタ部１４０、操作表示部１５０は、画像形成装置１００の各機能を実行するためのユニットであり、以降それぞれを区別しなくてよい場合はユニットｎと呼ぶこともある。白矢印は各部間の信号やデータのやり取りを行うバス等による接続を示しており、黒矢印は電力供給の流れを示している。
【００１２】
また、主電源スイッチは以降の説明や図中において主電源ＳＷと記載する。ユニット電源スイッチは、以降の説明や図中においてＳＷとする。
【００１３】
コントローラ部１１０は、ＣＰＵ（Ｃｅｎｔｒａｌ  Ｐｒｏｃｅｓｓｉｎｇ  Ｕｎｉｔ）１１１、メモリ１１２、メモリ１１３、電源制御部１１４を有する。
【００１４】
メモリ１１２は、不揮発性メモリ、いわゆるＲＯＭ（Ｒｅａｄ  Ｏｎｌｙ  Ｍｅｍｏｒｙ）であり、図１中ではメモリ（ＲＯＭ）と示している。メモリ１１２は、少なくとも画像形成装置１００を起動するための各種設定やプログラムが記憶されたブート用メモリとして機能する。本実施形態においては、画像形成装置１００の全体動作を制御するための各種設定やプログラムも記憶してあり、画像形成装置１００全体制御ができるものとして説明する。
【００１５】
メモリ１１３は、揮発性メモリ、いわゆるＲＡＭ（Ｒａｎｄｏｍ  Ａｃｃｅｓｓ  Ｍｅｍｏｒｙ）である。図１中では、メモリ（ＲＡＭ）と示している。
【００１６】
ＣＰＵ１１１は、メモリ１１３をワークエリア（作業領域）としてメモリ１１２に記憶されたプログラムを実行することで、画像形成装置１００の動作全体を制御する。制御の一例としては、各ユニットｎの動作制御、さらに後述する各ユニットｎに対する通電の制御などであるがこれに限られない。
【００１７】
電源制御部１１４は、一例としてマイクロコンピュータであり、画像形成装置１００に供給される電力、または画像形成装置１００内で消費される電力を監視し、必要に応じてＣＰＵ１１１と協働して画像形成装置１００に電力を供給する電源の制御を行う。制御の一例としては、停電等で外部電源からの電力供給がなくなったことを検知し、ＣＰＵ１１１に通知する等があるが、これに限られない。
【００１８】
ＳＷ２０１〜２０４は、ＣＰＵ１１１からの制御信号により、電圧の出力を制御する。一例としてＬＤＯ（Ｌｏｗ  Ｄｒｏｐｏｕｔ）等の電源回路であり、必要に応じて、ユニットｎ1つに対してＳＷが複数あってもよい。
【００１９】
また画像形成装置１００は、不揮発性記憶媒体としてメモリ１１２に加えＨＤＤ（Ｈａｒｄ  Ｄｉｓｋ  Ｄｒｉｖｅ）をさらに有していてもよい。
【００２０】
さらに図１を参照して画像形成装置１００起動時の各構成の動作を説明する。画像形成装置がシャットダウンした状態で、ユーザにより主電源ＳＷ２００が押下されると、起動処置が始まる。すなわち、主電源ＳＷ２００押下を電力供給部１６０が検知すると、電力供給部１６０は、商用電源３００からの電力をコントローラ部１１０に供給開始する。するとコントローラ部１１０のＣＰＵ１１１がＳＷ２０１〜２０４の制御を開始、つまりＣＰＵ１１１が各ユニット１２０〜１５０に対する通電制御を開始する。
【００２１】
次に、図１を参照して画像形成装置１００シャットダウン時の各構成の動作を説明する。画像形成装置１００が起動した状態で、画像形成装置１００に対するシャットダウン要求の一例として、ユーザにより主電源ＳＷ２００が押下されると、シャットダウン処理が始まる。すなわち、コントローラ部１１０のＣＰＵ１１１によるＳＷ２０１〜２０４に対する制御が停止され、各ユニット１２０〜１５０へ電力供給が停止され、その後、コントローラ部１１０への電力供給が停止され、シャットダウンが完了する。
【００２２】
図２は、第一の実施形態の機能ブロック図である。
【００２３】
制御部１は、ＣＰＵ１１１がメモリ１１３を作業領域としてメモリ１１２に記憶されたプログラムを実行して実現され、画像形成装置１００全体を制御する。また、ＣＰＵ１１１が電源制御部１１４と協働して実現してもよい。また画像形成装置１００がそのほかのＣＰＵやメモリを有している場合（例えば画像形成装置１００と接続可能な外部記憶媒体等と接続している場合）は、ＣＰＵ１１１とそれらが協働して制御部１を実現してもよい。
【００２４】
制御部１は、さらに通電制御部１１、使用情報取得部１２、起動条件決定部１３、シャットダウン検知部１４を有する。
【００２５】
通電制御部１１は、画像形成装置１００起動時に記憶部４の起動条件を読み込み、各ユニットｎへの通電を制御する。
【００２６】
使用情報取得部１２は、各ユニットｎが使用されたか否か、つまり各ユニットｎが電力の供給を受けて各機能を実行したかに関する情報である使用情報を取得する。
【００２７】
起動条件決定部１３は、使用情報に基づき、次回起動時の起動条件を決定する。
【００２８】
シャットダウン検知部１４は、画像形成装置１００に入力されるシャットダウン要求、言い換えるとシャットダウンを開始するトリガを検知する。
【００２９】
トリガの一例として、画像形成装置１００が起動した状態でのユーザによる主電源ＳＷ２００の押下がある。この場合、シャットダウン検知部１４は、ＣＰＵ１１１が、メモリ１１３をワークエリア（作業領域）としてメモリ１１２に記憶されたプログラムを実行することで機能し、主電源ＳＷ２００が押下された信号を監視することで検知できる。
【００３０】
また、トリガの他の例として、ユーザが意図しない、つまり停電等による商用電源３００からの電力供給停止がある。この場合、シャットダウン検知部１４は、電源制御部１１４が機能し、商用電源３００からの電力供給の有無を監視することで検知できる。
【００３１】
ユニット処理部２−ｎは、ＦＡＸ部１２０、スキャナ部１３０、プロッタ部１４０、操作表示部１５０のいずれかのユニットｎによって実現され、ユニットｎそれぞれの機能を実現する。
【００３２】
ユニット処理部２−ｎはさらに通電完了通知部２１−ｎを有する。通電完了通知部２１−ｎは、自ユニットｎに対する、画像形成装置１００の起動時に行われる通電が完了したことを、制御部１に通知する。
【００３３】
読出・書込処理部３はＣＰＵ１１１が、メモリ１１３をワークエリア（作業領域）としてメモリ１１２に記憶されたプログラムを実行することで、メモリ１１２やＨＤＤに対する各種条件やデータの読出・書込処理を行う。
【００３４】
記憶部４はメモリ１１２やメモリ１１３、その他公知のＨＤＤによって実現され、画像形成装置１００の動作に必要な各種条件を記憶する。記憶部４は、複数のメモリやＨＤＤによって実現されてもよい。記憶部４は、起動条件記憶部４１を有する。起動条件記憶部４1は、画像形成装置１００の起動時の通電制御に関する条件である起動条件を記憶する。
【００３５】
図３は、第一の実施形態の処理を示すフロー図である。図３を用いて、複数ユニットの使用情報に基づき、次回起動時の起動条件を決定する処理を説明する。
【００３６】
画像形成装置１００がシャットダウンされた状態で、主電源ＳＷ２００がユーザにより押下される、つまり画像形成装置１００が電源ＯＮの指示を受け付けると（Ｓ１−１）、電源制御部１１４と電力供給部１６０に対し商用電源３００から電力が供給される。電力供給部１６０は、外部電源である商用電源３００からコントローラ部１１０に対する電力供給を開始する（Ｓ１−２）。するとコントローラ部１１０のＣＰＵ１１１も起動し、ユニット１２０、ユニット１３０、ユニット１４０、ユニット１５０それぞれに対する通電制御を開始する。
【００３７】
すなわち、制御部１の通電制御部１１は、各種制御条件が記憶されているメモリ１１２から起動条件を読み出し、読み出した起動条件に基づきＳＷ２０１〜２０４それぞれに信号を送信して各ユニットに対する起動時の通電制御を行う（Ｓ１−３）。そして通電制御部１１は、起動条件にしたがった起動時の通電制御に続き、画像形成装置１００への、ユーザの指示に基づく動作に必要な通電制御を開始する（Ｓ１−４）。
【００３８】
使用情報取得部１２は、使用情報取得工程として、各ユニットが起動時からその時点までにユーザに使用されたか否か、言い換えると各ユニットが電源の供給を受けて各機能を実行したか否かを判断するための情報である使用情報を取得する。使用情報については後述する。
【００３９】
そして使用情報取得部１２は、前回の使用情報と今回の使用情報とで各ユニットの使用について更新があった場合は（Ｓ１−５）、新たな使用情報を記憶部４（一例としてメモリ１１２）に記憶、言い換えると記憶部４の使用情報を更新し（Ｓ１−６）、更新がなかった場合は、記憶部４（メモリ１１２）を更新せず次のステップへ移行する。
【００４０】
起動条件決定部１３は、起動条件決定工程として、記憶された使用情報に基づき次回の起動時の起動条件を決定する（Ｓ１−７）。起動条件決定工程で実行される起動条件の決定をより具体的に述べると、起動条件の、起動条件記憶部４１としての不揮発性メモリであるメモリ１１２への記憶である。つまり起動条件を次回起動時に読み出せるように不揮発性メモリへ記憶することにより、次回起動時の通電制御が決定する。
【００４１】
起動条件の一例としては、使用情報から特定された起動後に使用されなかったユニットには、次回起動時の通電を行わないという条件である。起動条件の別の例としては、使用情報自体を起動条件としてもよい。その場合、次回起動時にＣＰＵ１１１が起動条件として使用情報を読み込んで、使用されたユニットと使用されなかったユニットを判断し、その使用されなかったユニットには通電を行わないように制御することも可能である。
【００４２】
図３のフロー図の説明を続ける。画像形成装置１００が起動している状態で、主電源ＳＷ２００がユーザにより押下されると、シャットダウン検知部１４は画像形成装置１００に対するシャットダウン処理のトリガとして検知する（Ｓ１−８）。すると通電制御部１１はＣＰＵ１１１による各ユニットへの通電制御を停止し（Ｓ１−９）、そして主電源ＳＷ２００の切り替え作用により、電力供給部１６０を介したコントローラ部１１０への電力供給が停止する（Ｓ１−１０）。
【００４３】
一方、主電源ＳＷ２００のユーザによる押下が検知されない間は（Ｓ１−８）、制御部１は、ステップＳ１−５〜Ｓ１−７を繰り返す。なお、主電源ＳＷ２００が押下されたことは、ＣＰＵ１１１が検知すればよいがこれに限られず、電源制御部１１４がＣＰＵ１１１へ通知してもよい。
【００４４】
以上説明した実施形態により、従来の装置の問題を解決することができた。すなわち、従来は、画像形成装置を起動させる時に機器内の全てのユニットに、一度通電して初期化を実行していた。初期化を実行することで他のユニットと通信できる状態である、動作可能状態にし、その後、消費電力削減のための省電力モードに移行していた。しかし、その場合、動作可能状態となったものの、起動から主電源がOFFされるまで一度も使用されることがないユニットが存在する。つまり画像形成装置を起動させるたびに、このユニットを動作可能状態に移行するまでの消費電力を無駄に通電するという問題があった。
【００４５】
それに対し以上で説明した実施形態では、起動時からユーザによる主電源ＯＦＦ指示を受け付けるまで、各ユニットを監視して起動条件を決定することで、今回使用されなかったユニット、つまり次回起動時にも使用される可能性が低いユニットには、起動時の通電を行わないため、無駄な電力消費を抑制できる。
【００４６】
ここで、各ユニットが使用されたか否かを判断可能な情報である使用情報を特定する方法について述べる。使用情報は、前述の通り使用されていないユニットを判断するための情報である。監視対象ユニットは、画像形成装置１００の各機能を実行するためのユニット全てではなく、消費電力の大きいユニット等を適宜選択してもよい。
【００４７】
各ユニットが使用される場合に検知される可能性が高い所定の動作をあらかじめ決定しておき、その動作が検知された場合は、使用されたと判断することができる。監視対象ユニットである、ＦＡＸ部１２０、スキャナ部１３０、プロッタ部１４０、操作表示部１５０の中で、スキャナ部１３０の監視方法を説明する。なお監視方法は、各ユニットに適した方法を選択でき、またスキャナ部１３０についてもこれに限定されるものではない。
【００４８】
まず、スキャナ部１３０は、例えばＣＣＤ（Ｃｈａｒｇｅ  Ｃｏｕｐｌｅｄ  Ｄｅｖｉｃｅ）等の撮像素子を有し、紙などに印刷された画像データの読み取りを行うユニットである。読み取り時に紙を固定する、また背景板として機能するカバー部や、セットされた紙を読み取り位置まで自動で搬送するＡＤＦ（Ａｕｔｏ  Ｄｏｃｕｍｅｎｔ  Ｆｅｅｄｅｒ）を備えていてもよい。このスキャナ部１３０が使用される場合に検知される可能性が高い所定の動作の例として、ＡＤＦへの紙のセット、他の例としてカバー部の開閉動作が挙げられる。
【００４９】
図３のフロー図において説明すると、ステップＳ１−４で動作条件に基づく通電制御が開始された後、使用情報取得部１２は、スキャナ１３０であれば前述のＡＤＦへの紙のセットやカバー部の開閉を検知するとステップＳ１−５でユニット使用について更新があったと判断する。他のユニットについても使用されたと判断できるあらかじめ決められた所定の動作が行われればステップＳ１−５で使用について更新があったと判断し、その結果監視対象のユニット全体の使用情報を常に更新することができる。
【００５０】
ここで使用情報取得のタイミングは、図３のステップＳ１−５のように所定動作の検知毎に限られない。例えば、ステップＳ１−４で動作条件に基づく通電制御が開始された後、所定時間経過毎にメモリ１１３に一時記憶される画像形成装置１００の動作ログ等を参照して使用情報を取得し、起動条件の決定を行ってもなどしてもよい。
【００５１】
また電源制御部１１４として、記憶部を有するマイコン等を用い、電源制御部の記憶部において起動条件の更新を行ってもよい。この場合は、電源制御部１１４のマイコンの記憶領域が記憶部４として機能する。
【００５２】
なお、起動時に通電制御によって通電されなかった各ユニットへの通電は、その後ユーザが操作表示部１５０から入力した指示に基づき実行するようにしてもよい。また使用されたか否かの判断動作（ＡＤＦに紙がセットされたことやカバーの開閉）が行われた時に通電を行ってもよく、通電を行うために別途ハードスイッチを設けてもよい。
【００５３】
図４は、第二の実施形態の処理を示すフロー図である。図３の処理フローとは異なり、本フロー図においては、画像形成装置１００の主電源ＯＦＦ要求受け付け後に、起動条件の決定を行っている。なお、本実施形態のハードウェア構成については図１、機能ブロック図については図２と共通であるため説明を省略する。
【００５４】
図４のフロー図を説明する。画像形成装置１００がシャットダウンされた状態で、主電源ＳＷ２００がユーザにより押下される、つまり画像形成装置１００が電源ＯＮの指示を受け付けると（Ｓ２−１）、電源制御部１１４と電力供給部１６０に対し商用電源３００から電力が供給される。電力供給部１６０は、外部電源である商用電源３００からコントローラ部１１０に対する電力供給を開始する（Ｓ２−２）。
【００５５】
すなわち、制御部１の通電制御部１１は、各種制御条件が記憶されているメモリ１１２から起動条件を読み出し、起動条件に基づきＳＷ２０１〜２０４それぞれに信号を送信して各ユニットへの起動時の通電制御を行う（Ｓ２−３）。そして通電制御部１１は、起動条件にしたがった起動時の通電制御に続き、ユーザの画像形成装置１００への指示に含まれる動作条件に基づき動作に必要な通電制御を開始する（Ｓ２−４）。
【００５６】
そして、画像形成装置１００が起動の状態で、主電源ＳＷ２００がユーザにより押下されると、シャットダウン検知部１４は画像形成装置１００に対するシャットダウン処理のトリガとして検知する（Ｓ２−５）。すると使用情報取得部１２は、使用情報取得工程として、使用情報を取得し、さらに、ユニットの使用について更新があったかを判断する（Ｓ２−６）。
【００５７】
そして使用情報取得部１２は、使用情報に更新があった場合は、ユニットの使用情報をメモリ１１２に記憶し（Ｓ２−７）、更新がなかった場合は、メモリ１１２を更新せず次のステップへ移行する。起動条件決定部１３は、起動条件決定工程として、記憶された使用情報に基づき次回の起動時の起動条件を決定する（Ｓ２−８）。
【００５８】
その後通電制御部１１は、ＣＰＵ１１１による各ユニットへの通電制御を停止し（Ｓ２−９）、そして主電源ＳＷ２００の切り替え作用により、電力供給部１６０を介したコントローラ部１１０への電力供給は停止する（Ｓ２−１０）。
【００５９】
本フローにおいては、制御部１は、シャットダウンのトリガとしての主電源ＳＷ２００の押下による、電源ＯＦＦ要求を検知（Ｓ２−４）した後に、使用されなかったユニットの判断（Ｓ２−５）、メモリ１１３への記憶（Ｓ２−６）、そしてメモリ１１３の情報を基にした起動条件の決定（Ｓ２−７）が行われる。ユニットが使用されたか否かを判断するための動作履歴、例えばＡＤＦへの紙のセットやカバー部の開閉の有無は、メモリ１１３に一時記憶して、使用情報取得部１２は、メモリ１１３を参照して判断することができる。
【００６０】
本フローのようにシャットダウンの実行タイミングのみ起動条件を書き換えることで、第一の実施形態の効果に加え、メモリ１１２の書き換え回数を減らし、メモリ１１２の書き換え回数の上限に達するまでの時間を長くすることができる。言い換えるとメモリ１１２のメモリとしての寿命を延ばすことができる。
【００６１】
図５は、第三の実施形態のハードウェア構成図である。図１で示したハードウェア構成に加え、図５のハードウェア構成はさらにバッテリ１７０と、バッテリ用スイッチ２０５（図５中ＢＳＷと示している。）を有している。図５に示す構成は、ユーザが意図しない電源断時、例えば停電時等においても、次回起動条件を決定するハードウェア構成である。
【００６２】
バッテリ用スイッチ２０５は、電源制御部１１４からの制御信号に従い、電力供給部１６０への電力供給を、外部電源である商用電源３００から、バッテリ１７０へと切り替える。なお、第三の実施形態の機能ブロック図は図２と共通の為、説明を省略する。
【００６３】
図６は、第三の実施形態の処理を示すフロー図である。図６のフロー図は、ユーザが意図しない電源断時、例えば停電時等においても、次回起動条件を書き換える処理を示す。なおハードウェア構成については図１、機能ブロック図については図２と共通であるため説明を省略する。
【００６４】
図６のフロー図を説明する。画像形成装置１００がシャットダウンされた状態で、主電源ＳＷ２００がユーザにより押下される、つまり画像形成装置１００が電源ＯＮの指示を受け付けると（Ｓ３−１）、電源制御部１１４と電力供給部１６０に対し商用電源３００から電力が供給される。電力供給部１６０は、外部電源である商用電源３００からコントローラ部１１０に対する電力供給を開始する（Ｓ３−２）。
【００６５】
すなわち、制御部１の通電制御部１１は、各種制御条件が記憶されているメモリ１１２から起動条件を読み出し、起動条件に基づきＳＷ２０１〜２０４それぞれに信号を送信して各ユニットへの起動時の通電制御を行う（Ｓ３−３）。そして通電制御部１１は、起動条件にしたがった起動時の通電制御に続き、ユーザの画像形成装置１００への指示に含まれる動作条件に基づき動作に必要な通電制御を開始する（Ｓ３−４）。
【００６６】
画像形成装置１００が起動の状態で、シャットダウン検知部１４は画像形成装置１００に対するシャットダウン処理のトリガを検知する（Ｓ３−５）。通電制御部１１は、トリガが主電源ＳＷ押下などのユーザからの電源ＯＦＦ要求であるかを判断する（Ｓ３−６）。
【００６７】
ユーザからの電源ＯＦＦ要求であれば、使用情報取得部１２は、使用情報取得工程として、使用情報を取得し、さらに、ユニットの使用について更新があったかを判断する（Ｓ３−７）。
【００６８】
使用情報取得部１２は、その時点でユニットの使用について更新があった場合は、ユニットの使用情報を記憶部４（一例としてメモリ１１２）に記憶し（Ｓ３−８）、なかった場合は、記憶部（一例としてメモリ１１２）を更新せず次のステップへ移行する。起動条件決定部１３は、記憶された使用情報に基づき次回の起動時の起動条件を決定する（Ｓ３−９）。
【００６９】
通電制御部１１は、ＣＰＵ１１１による各ユニットへの通電制御を停止し（Ｓ３−１０）、そして主電源ＳＷ２００の切り替え作用により、電力供給部１６０を介したコントローラ部１１０への電力供給は停止する（Ｓ３−１１）。
【００７０】
ステップＳ３−６に戻ると、ユーザからの電源ＯＦＦ要求でなければ、通電制御部１１は、コントローラ部１１０への電力供給元がバッテリに変更する（Ｓ３−１２）。具体的には、電源制御部１１４がバッテリ用スイッチ２０５に信号を入力して、電力供給部１６０への電力供給をバッテリ１７０に切り替える。そしてバッテリからの電力供給を受けて、Ｓ３−７〜Ｓ３−１１を実行する。
【００７１】
本第三の実施形態によって、第一の実施形態、第二の実施形態の効果に加え、ユーザが意図しない電源断が発生しても確実に次回起動条件を決定することができる。
【００７２】
すなわち、停電等による意図しない電源断時には次回起動条件が決定されないままとなってしまい、次回起動時に、前回使用されなかったユニットにも通電してしまう可能性がある。そこで、ユーザの意図しない電源断時には、バッテリからの電力供給に切り替えることで、次回起動時の通電ユニットの情報を保存してから電源をOFFする。したがってユーザの意図しない電源断時にも確実に次回起動条件を決定してからシャットダウンすることができる。
【００７３】
図７は、第四の実施形態の処理を示すフロー図である。図７を用いて、次回起動するユニットに起動する優先順位をつける処理の、画像形成装置１００の起動からシャットダウンまでを説明する。
【００７４】
ユニットｎとしてとしてユニット１〜４の４つが存在している構成において、ユニット４は使用されず、ユニット１〜３の使用回数がそれぞれ異なっていた場合として説明する。
【００７５】
画像形成装置１００がシャットダウンの状態で、主電源ＳＷ２００がユーザにより押下される、つまり画像形成装置１００が電源ＯＮの指示を受け付けると（Ｓ４−１）、電源制御部１１４と電力供給部１６０に対し商用電源３００から電源が供給される。電力供給部１６０は、外部電源である商用電源３００からコントローラ部１１０に対する電力供給を開始する（Ｓ４−２）。
【００７６】
すなわち、制御部１の通電制御部１１は、各種制御条件が記憶されているメモリ１１２から起動条件を読み出し、起動条件に基づきＳＷ２０１〜２０４それぞれに信号を送信して各ユニットへの起動時の通電制御を行う（Ｓ４−３）。そして通電制御部１１は、起動条件にしたがった起動時の通電制御に続き、ユーザの画像形成装置１００への指示に含まれる動作条件に基づき動作に必要な通電制御を開始する（Ｓ４−４）。
【００７７】
そして、画像形成装置１００が起動の状態で、主電源ＳＷ２００がユーザにより押下されると、シャットダウン検知部１４は画像形成装置１００に対するシャットダウン処理のトリガとして検知する（Ｓ４−５）。すると使用情報取得部１２は、使用情報取得工程として、使用情報を取得し、さらに、ユニットの使用について更新があったかを判断する（Ｓ４−６）。
【００７８】
使用情報取得部１２は、その時点でユニットの使用について更新があった場合は、ステップＳ４−７に進む。使用情報取得部１２は、ユニット１とユニット２の使用回数を比較し（Ｓ４−７）、ユニット１の方が多ければ、次にユニット１とユニット３の使用回数を比較する（Ｓ４−８）。ユニット１の方が多ければ、ユニット１からの起動とし（Ｓ４−９）、ユニット３の方が多ければ、ユニット３からの起動とする（Ｓ４−１０）。
【００７９】
ステップＳ４−７に戻って、ユニット１でなくユニット２の方が多ければ、ユニット２とユニット３の使用回数を比較する（Ｓ４−１１）。ユニット２の方が多ければユニット２からの起動とし（Ｓ４−１２）、ユニット３の方が多ければユニット３からの起動とする（Ｓ４−１３）。
【００８０】
使用情報取得部１２は、ユニットの使用情報として、使用されなかったユニット、次回起動時に起動が優先されるユニット情報などを記憶部４（一例としてメモリ１１２）に記憶する（Ｓ４−１４）。
【００８１】
すると起動条件決定部１３は、記憶部４に記憶された使用情報に基づき次回の起動時の起動条件を決定する（Ｓ４−１５）。そして通電制御部１１は、ＣＰＵ１１１による各ユニットへの通電制御を停止し（Ｓ４−１６）、さらに主電源ＳＷ２００の切り替え作用により、電力供給部１６０を介したコントローラ部１１０への電力供給は停止する（Ｓ４−１７）。
【００８２】
ステップＳ４−６に戻り、その時点で使用されなかったユニットがなかった場合は、メモリ１１２を更新せずにステップ４−１５〜Ｓ４−１７に進む。
【００８３】
起動条件決定部１３は、記憶された使用情報に基づき次回の起動時の起動条件を決定する（Ｓ４−１５）。
【００８４】
本第四の実施形態によれば、使用頻度の高いユニットを優先的に起動することで使用頻度の高いユニットが使用できるまでの時間を短くすることができる。
【００８５】
最も使用頻度の高いユニットｎを最も優先して通電してもよいし、使用頻度に応じた優先順位に基づき起動の為の通電を行ってもよい。
【００８６】
図８は、第五の実施形態の処理を示すフロー図である。図８を用いて、起動時に各ユニットへの通電を同時に行わない処理を説明する。なお、起動条件として、起動時に通電されるユニットが、ユニット１とユニット２の二つである場合として説明する。
【００８７】
まず画像形成装置１００がシャットダウンの状態で、主電源ＳＷ２００がユーザにより押下される、つまり画像形成装置１００が電源ＯＮの指示を受け付けると（Ｓ５−１）、電源制御部１１４と電力供給部１６０に対し商用電源３００から電源が供給される。電力供給部１６０は、外部電源である商用電源３００からコントローラ部１１０に対する電力供給を開始する（Ｓ５−２）。
【００８８】
すなわち、制御部１の通電制御部１１は、各種制御条件が記憶されているメモリ１１２から起動条件を読み出し、起動条件に基づきＳＷ２０１〜２０４それぞれに信号を送信して各ユニットへの起動時の通電制御を行う（Ｓ５−３）。通電制御部１１は、起動条件にしたがった起動時の通電制御を行うが、この時、まずユニット１への電力供給を開始する（Ｓ５−４）。そしてユニット１への起動時電力供給が完了すると、通電完了通知部２１−１が通電制御部１１に対し、通電の完了を通知する（Ｓ５−５）。
【００８９】
すると通電制御部１１はユニット２への起動時の通電を開始する（Ｓ５−７）。このような起動時制御に続き、ユーザの画像形成装置１００への指示に含まれる動作条件に基づき動作に必要な通電制御を開始する（Ｓ５−８）。
【００９０】
ステップＳ５−８へ移行するトリガとして、ユニット２の通電完了通知部２１−２が通電制御部１１に対し通電の完了を通知してもよい。また各ユニットへの通電の順番をあらかじめ決めて起動条件に含めていてもよい。
【００９１】
このように本第五の実施形態では、各ユニットに同時に電力が投入されることが防止できるため、突入電流により、供給元の電源がドロップする可能性を低減することができる。また、停電からの復帰時など、多くの画像形成装置に同時に電源が投入される際において、オフィス等で供給できる電力以上の電力が一度に発生し、ブレーカーが落ちる等が発生する可能性を軽減することができる。
【００９２】
図９は、第六の実施形態を説明するハードウェア構成図である。画像形成装置１００における起動時の通電パターンを予め複数決めておき、起動時通電パターン毎に記憶するメモリ（以降パターンメモリと呼ぶ。）を設けた構成である。
【００９３】
図１、図５のハードウェア構成図との相違として、図９のハードウェア構成図では、パターンメモリα１１５、パターンメモリβ１１６、パターンメモリγ１１７を有している。なお、パターンメモリα１１５、パターンメモリβ１１６、パターンメモリγ１１７は図９中で、それぞれ、メモリ（ＲＯＭ）α、メモリ（ＲＯＭ）β、メモリ（ＲＯＭ）γと示す。
【００９４】
各パターンメモリには、一例として、それぞれ以下のような、異なる通電パターンが記憶されている。すなわち、パターンメモリα１１５には「ＦＡＸ部１２０およびスキャナ部１３０には通電しない。プロッタ部１４０および操作表示部１５０には通電する。」、パターンメモリβ１１６には「ＦＡＸ部１２０およびスキャナ部１３０には通電しない。操作表示部１５０を最初に通電し、その後、プロッタ部１４０に通電する。」、パターンメモリγ１１７には「ＦＡＸ部１２０およびプロッタ部１４０には通電しない。スキャナ部１３０を最初に通電し、その後操作表示部１５０に通電する。」という起動条件が記憶されている。
【００９５】
そして、記憶部４にあらかじめ使用情報と、その使用情報の時に選択する通電制御情報が記憶されたパターンメモリとの対応付けを記憶しておく。例えば、スキャナ部１３０については使用されたと判断できる所定動作の検知結果が存在し、かつＦＡＸ部１２０およびプロッタ部１４０には使用されたと判断できる所定動作検知結果が存在していないという使用情報の場合には、パターンメモリγ１１７が対応付けられている。なお、使用情報とパターンメモリとの対応付けの代わりに、次回起動時に選択すべきパターンメモリを使用情報からＣＰＵ１１１が算出するためのアルゴリズムが記憶されていてもよい。
【００９６】
図１０は、第六の実施形態の機能ブロック図である。図２の機能ブロック図との相違として、図１０の機能ブロック図は、読出・書込処理部５と、パターン記憶部６−ｍとを有している。ｍはパターン記憶部の数であり、本実施形態ではｍ＝１，２，３の場合として以下説明する。
【００９７】
起動パターン記憶部６−ｍは、起動パターンメモリα１１５、起動パターンメモリβ１１６、起動パターンメモリγ１１７のいずれかによりそれぞれ実現され、読出・書込処理部５は、ＣＰＵ１１１が、メモリ１１３をワークエリア（作業領域）としてメモリ１１２に記憶されたプログラムを実行することで、パターンメモリα１１５、パターンメモリβ１１６、パターンメモリγ１１７に対する各種条件やデータの読出・書込処理を行う。
【００９８】
起動条件決定部１３は、使用情報に基づき、記憶部４に記憶されている、使用情報とパターンメモリとの組み合わせを参照し、次回起動時に起動パターンメモリα１１５、パターンメモリβ１１６、パターンメモリγ１１７のいずれのメモリを読み出すかを選択して、起動条件として起動条件記憶部４１に記憶する。
【００９９】
他の実施形態のように起動条件が変わるたびにメモリの起動条件を書き換える構成では、メモリの書き換え頻度が多くなりメモリが早く寿命に到ってしまう。しかし本実施の形態６においては、いずれのメモリにおいても起動条件自体を書き換えることはないため、メモリの寿命が短くなるのを防止できる。なお、メモリ１１２をパターンメモリの一つとして使用してもよい。
【符号の説明】
【０１００】
１００  画像形成装置
１  制御部
２−ｎ  ユニット
４  記憶部
１１  通電制御部
１２  使用情報取得部
１３  起動条件決定部
１４  シャットダウン判断部
２１−ｎ  通電完了通知部
４１  起動条件記憶部
６−ｍ  パターン記憶部
【先行技術文献】
【特許文献】
【０１０１】
【特許文献１】特開２０１１−４３９１３号公報
【特許文献２】特開２０１３−９２９４０号公報
【図１】
2019134317.tif 000003
【図２】
2019134317.tif 000004
【図３】
2019134317.tif 000005
【図４】
2019134317.tif 000006
【図５】
2019134317.tif 000007
【図６】
2019134317.tif 000008
【図７】
2019134317.tif 000009
【図８】
2019134317.tif 000010
【図９】
2019134317.tif 000011
【図１０】
2019134317.tif 000012